(57)【要約】【課題】映像表示装置およびマルチ画面表示装置において、消費電力の低減を可能とする技術を提供することを目的とする。【解決手段】映像表示装置１００は、各ＬＥＤ１１，１３，１５を発光駆動する光源用駆動回路１０，１２，１４と、ｎ画面（ｎは１以上の整数）分の映像信号の中から各色ごとに最大信号レベルを検出し、検出された最大信号レベルに基づいて各色ごとの増幅率を算出する。また、映像表示装置１００は、消費電力を低減するための省電力モード時に、算出手段により算出された各色ごとの増幅率に基づいて、映像信号の信号レベルを増幅し、増幅手段により増幅された映像信号の信号レベルの増幅分に対応する各ＬＥＤ１１，１３，１５の輝度の増幅分を打ち消すように、光源用駆動回路１０，１２，１４に供給される各ＬＥＤ１１，１３，１５の駆動電流値を制御する。【選択図】図１
2013213897.tif 000002
【特許請求の範囲】
【請求項１】
所定の各色のＬＥＤ光源から出射された光を映像信号に基づいて強度変調しスクリーン上に投射する映像表示装置であって、
各前記ＬＥＤ光源を発光駆動する光源駆動手段と、
ｎ画面（ｎは１以上の整数）分の前記映像信号の中から各色ごとに最大信号レベルを検出する検出手段と、
前記検出手段により検出された前記最大信号レベルに基づいて、各色ごとの増幅率を算出する算出手段と、
消費電力を低減するための省電力モード時に、前記算出手段により算出された各色ごとの増幅率に基づいて、前記映像信号の信号レベルを増幅する増幅手段と、
前記増幅手段により増幅された前記映像信号の信号レベルの増幅分に対応する各前記ＬＥＤ光源の輝度の増幅分を打ち消すように、前記光源駆動手段に供給される各前記ＬＥＤ光源の駆動電流値を制御する制御手段と、
を備えた、映像表示装置。
【請求項２】
前記各色ごとの増幅率に代えて、各色に共通の増幅率を用いる、請求項１記載の映像表示装置。
【請求項３】
前記各色ごとの増幅率と各前記ＬＥＤ光源の駆動電流値は経時的に固定される、請求項１または請求項２記載の映像表示装置。
【請求項４】
請求項１〜３のいずれか１つに記載の映像表示装置を複数組み合わせて構成されたマルチ画面表示装置であって、
複数の前記映像表示装置は、１つのマスター装置とそれ以外のスレーブ装置とを含み、
前記省電力モード時に、前記スレーブ装置は、前記各色ごとの増幅率を前記マスター装置に対して送信し、
前記マスター装置は、前記スレーブ装置から送信された増幅率の中から前記各色ごとに最小の増幅率を抽出し各前記スレーブ装置に対して送信する、マルチ画面表示装置。
【請求項５】
前記マスター装置は、設定時間、キーボード操作および複数の前記映像表示装置における画像の動きのうちのいずれかに基づいて、前記省電力モードに移行させる、請求項４記載のマルチ画面表示装置。
【発明の詳細な説明】
【技術分野】
【０００１】
本発明は、映像表示装置と、映像表示装置を複数組み合わせて構成されたマルチ画面表示装置に関し、特に消費電力の低減に関するものである。
【背景技術】
【０００２】
大型映像を表示する表示装置として、複数の投射型映像表示装置の画面を配列してなるマルチ画面表示装置が知られている。従来、投射型映像表示装置における光源としては放電ランプが広く使用されてきたが、技術の進歩により、発光ダイオード（ＬＥＤ：Ｌｉｇｈｔ  Ｅｍｉｔｔｉｎｇ  Ｄｉｏｄｅ）の出力輝度が投射型映像表示装置の光源としての使用に耐えうるようになったことから、近年はＬＥＤが使用されている（例えば特許文献１参照）。
【先行技術文献】
【特許文献】
【０００３】
【特許文献１】特開２００５−２７４８８４号公報
【発明の概要】
【発明が解決しようとする課題】
【０００４】
しかしながら、ＬＥＤ光源の出力輝度が投射型映像表示装置の光源として使用に耐えうるようになったことと引き換えに、その消費電力は放電ランプのそれと同等、またはそれ以上となってきている。これと同様に、ＬＥＤ光源を使用した投射型映像表示装置を複数組み合わせたマルチ画面表示装置においても、その消費電力の増加が問題となっている。
【０００５】
また、マルチ画面表示装置においては、主として道路、交通、プラント等の監視ルームに使用される事例が多く、これらの事例では時間帯や表示内容によっては、常時表示する必要のない部分が存在する可能性がある。そのため、消費電力を削減する方法として、マルチ画面表示装置を構成する投射型映像表示装置の一部の電源をＯＦＦする方法が提案されているが、この方法では必要となった時に瞬時に映像を表示することができず、オペレータの業務に支障をきたす恐れがあった。
【０００６】
そこで、本発明は、映像表示装置およびマルチ画面表示装置において、消費電力の低減を可能とする技術を提供することを目的とする。
【課題を解決するための手段】
【０００７】
本発明に係る映像表示装置は、所定の各色のＬＥＤ光源から出射された光を映像信号に基づいて強度変調しスクリーン上に投射する映像表示装置であって、各前記ＬＥＤ光源を発光駆動する光源駆動手段と、ｎ画面（ｎは１以上の整数）分の前記映像信号の中から各色ごとに最大信号レベルを検出する検出手段と、前記検出手段により検出された前記最大信号レベルに基づいて、各色ごとの増幅率を算出する算出手段と、消費電力を低減するための省電力モード時に、前記算出手段により算出された各色ごとの増幅率に基づいて、前記映像信号の信号レベルを増幅する増幅手段と、前記増幅手段により増幅された前記映像信号の信号レベルの増幅分に対応する各前記ＬＥＤ光源の輝度の増幅分を打ち消すように、前記光源駆動手段に供給される各前記ＬＥＤ光源の駆動電流値を制御する制御手段とを備えたものである。
【０００８】
また、本発明のマルチ画面表示装置は、映像表示装置を複数組み合わせて構成されたマルチ画面表示装置であって、複数の前記映像表示装置は、１つのマスター装置とそれ以外のスレーブ装置とを含み、前記省電力モード時に、前記スレーブ装置は、前記各色ごとの増幅率を前記マスター装置に対して送信し、前記マスター装置は、前記スレーブ装置から送信された増幅率の中から前記各色ごとに最小の増幅率を抽出し各前記スレーブ装置に対して送信するものである。
【発明の効果】
【０００９】
本発明の映像表示装置によれば、省電力モード時に、増幅手段は、各色ごとの増幅率に基づいて映像信号の信号レベルを増幅し、制御手段は、映像信号の信号レベルの増幅分に対応するＬＥＤ光源の輝度の増幅分を打ち消すように、各ＬＥＤ光源の駆動電流値を制御するため、映像表示装置の最大輝度を低下させることなく、ＬＥＤ光源の駆動電流値を低減することができる。これにより、映像表示装置において消費電力の低減が可能となる。
【００１０】
また、本発明のマルチ画面表示装置によれば、スレーブ装置は、各色ごとの増幅率をマスター装置に対して送信し、マスター装置は、スレーブ装置から送信された増幅率の中から各色ごとに最小の増幅率を抽出し各スレーブ装置に対して送信するため、マルチ画面表示装置を構成する個々の映像表示装置におけるＬＥＤ光源の駆動電流値を低減するとともに、全ての映像表示装置の輝度を均一に保つことができる。これにより、マルチ画面表示装置において消費電力の低減が可能となる。
【図面の簡単な説明】
【００１１】
【図１】実施の形態１に係る映像表示装置の概略構成図である。
【図２】光源回路の概略構成図である。
【図３】ＬＥＤ駆動電流値−出力輝度値特性の一例を示す図である。
【図４】映像信号レベルの変換例を示す図である。
【図５】実施の形態２に係るマルチ画面表示装置の概略構成図である。
【発明を実施するための形態】
【００１２】
＜実施の形態１＞
本発明の実施の形態１について、図面を用いて以下に説明する。図１は、本発明の実施の形態１に係る映像表示装置１００の概略構成図である。映像表示装置１００は、送受信部１と、制御部２と、光源回路３と、ライトバルブ４と、投射レンズ５と、スクリーン６と、信号処理部７と、画像入力部８と、メモリ９とを備えている。
【００１３】
光源回路３は、例えばＬＥＤを光源としており、光源回路３の光出力はライトバルブ４に入力される。一方、映像信号が外部から画像入力部８に入力され、画像入力部８は映像信号を信号処理部へ出力する。信号処理部７は、映像信号の信号レベルの変換（増幅）と映像信号の拡大・縮小等の信号処理を行い、ライトバルブ４を駆動するためのドライブ信号に変換しライトバルブ４へ出力する。ライトバルブ４は、光源回路３から出力される光を強度変調しドライブ信号のタイミングで投射レンズ５へ出力することで、映像がスクリーン６に投射される。
【００１４】
また、送受信部１は、例えば外部ＰＣおよび他の映像表示装置と接続され、外部ＰＣおよび他の映像表示装置からの指令を制御部２に受け渡す。制御部２は、外部ＰＣおよび他の映像表示装置からの指令を受けて、通常モードと、消費電力を低減するための省電力モードとに切り替えて各部を制御する。なお、通常モードと省電力モードにおける各部の動作については後述することとする。
【００１５】
次に、光源回路３の詳細と、各モードにおける制御部２の動作について図２を用いて説明する。図２は、光源回路３の概略構成図である。光源回路３は、赤色（Ｒ）光を発するＲ光源用ＬＥＤ１１と、Ｒ光源用駆動回路１０と、緑色（Ｇ）光を発するＧ光源用ＬＥＤ１３と、Ｇ光源用駆動回路１２と、青色（Ｂ）光を発するＢ光源用ＬＥＤ１５と、Ｂ光源用駆動回路１４とを備えている。Ｒ光源用ＬＥＤ１１は、Ｒ光源用駆動回路１０からパルス駆動で駆動電流値が制御されて点灯動作する。これと同様に、Ｇ光源用ＬＥＤ１３はＧ光源用駆動回路１２からパルス駆動で駆動電流値が制御されて点灯動作し、Ｂ光源用ＬＥＤ１５はＢ光源用駆動回路１４からパルス駆動で駆動電流値が制御されて点灯動作する。
【００１６】
メモリ９には予め生産工程にてＲ，Ｇ，Ｂ光源用ＬＥＤ１１，１３，１５の駆動電流値に対する出力輝度値を測定するなどして得られた、ＬＥＤ駆動電流値―出力輝度値特性を示す情報（図３参照）が記憶されている。制御部２は、メモリ９に記憶されているＬＥＤ駆動電流値―出力輝度値特性を示す情報に基づいて、Ｒ，Ｇ，Ｂ光源用駆動回路１０，１２，１４に供給されるＲ，Ｇ，Ｂ光源用ＬＥＤ１１，１３，１５の駆動電流値を制御することで、Ｒ，Ｇ，Ｂ光源用ＬＥＤ１１，１３，１５の輝度調整を行う。
【００１７】
ここで、通常モード時では制御部２は、信号処理部７において画像入力部８に入力される映像信号のレベル変換を行わないように制御すると同時に、Ｒ，Ｇ，Ｂ光源用駆動回路１０，１２，１４が出力する電流値ＩＲ０，ＩＧ０，ＩＢ０をメモリ９に記憶させる。
【００１８】
一方、省電力モード時では制御部２は、信号処理部７において画像入力部８に入力される映像信号のレベル変換を行い信号出力のダイナミックレンジが最大になるように制御を行う。これと同時に、画像入力部８にて検出された信号レベルによりメモリ９に記憶されているＬＥＤ駆動電流値―出力輝度値特性を示す情報に基づいて、制御部２は、Ｒ，Ｇ，Ｂ光源用ＬＥＤ１１，１３，１５の駆動電流値を制御することで、信号処理部７にて広げられたダイナミックレンジ分の輝度を下げるようにＲ，Ｇ，Ｂ光源用ＬＥＤ１１，１３，１５の輝度調整を行う。
【００１９】
具体的な制御例について、図３、図４を用いて説明する。図３（ａ）は、Ｒ光源用ＬＥＤ１１のＬＥＤ駆動電流値−出力輝度値特性の一例を示す図であり、図３（ｂ）は、Ｇ光源用ＬＥＤ１３のＬＥＤ駆動電流値−出力輝度値特性の一例を示す図であり、図３（ｃ）は、Ｇ光源用ＬＥＤ１５のＬＥＤ駆動電流値−出力輝度値特性の一例を示す図である。
【００２０】
省電力モード時に画像入力部８は、映像信号の信号レベルを検出する。映像信号の１画面ごと、Ｒ，Ｇ，Ｂの各色ごとに画面内の最大信号レベルを検出し制御部２へ出力する。制御部２は、最大信号レベルをＲ，Ｇ，Ｂの各色ごとにｎ画面分（ｎは１以上の整数）保持し、その中からさらに最大となる値をＲ，Ｇ，Ｂの各色ごとに抽出（検出）する。なお、画像入力部８と制御部２が検出手段に相当する。
【００２１】
さらに、制御部２は、抽出されたｎ画面分の最大信号レベルに基づいて、Ｒ，Ｇ，Ｂ各色の信号レベルをダイナミックレンジ一杯まで使用できる信号レベルへ変換するための変換係数（増幅率）を算出して信号処理部７に出力する。信号処理部７は、変換係数を用いて、画面全体において均一に信号レベル補正（振幅の増幅）を行う。これと同時に制御部２は、変換係数にてレベル変換することで増幅された信号レベルの増幅分に対応する各ＬＥＤ１１，１３，１５の輝度の増幅分を打ち消すために、メモリ９に記憶されたＬＥＤ駆動電流値−輝度値特性を示す情報に基づいて、各ＬＥＤ１１，１３，１５に対する駆動電流値を低減するように光源回路３を制御する。なお、制御部２が算出手段に相当し、信号処理部７が増幅手段に相当する。
【００２２】
図４（ａ）は、画像入力部８に入力されるＲ，Ｇ，Ｂの各映像信号レベルのｎ画面分における最大信号レベルを示す一例であり、図４（ｂ）は、制御部２の処理により信号の振幅レベルをダイナミックレンジ一杯まで変換された後の最大信号レベルを示す一例である。なお、ここでは一例として信号レベルの最小値を０、最大値を２５５としている。
【００２３】
図４（ａ）に示すように、制御部２で検出された映像信号レベルの最大値はそれぞれＲ：１２７、Ｇ：１８０、Ｂ：１５０となっている。そこで、信号処理部７は、各色の最大信号レベルが２５５になるように映像信号レベルを均一に増幅する処理を行う。この場合、Ｒの信号において１画面内の最大信号レベルは１２７であるため、変換係数Ｃｒは
Ｃｒ＝（２５５＋１）／（１２７＋１）＝２．０００
これと同様にＧ，Ｂの変換係数Ｃｇ，Ｃｂは
Ｃｇ＝（２５５＋１）／（１８０＋１）＝１．４１４
Ｃｂ＝（２５５＋１）／（１５０＋１）＝１．６９５
となる。信号処理部７は、本変換係数を用い、画像入力部８から出力されるＲ，Ｇ，Ｂの映像信号Ｒｉｎ，Ｇｉｎ，Ｂｉｎを
Ｒｏｕｔ＝Ｃｒ・Ｒｉｎ
Ｇｏｕｔ＝Ｃｇ・Ｇｉｎ
Ｂｏｕｔ＝Ｃｇ・Ｂｉｎ
と変換して出力する。例えば同一画面内でＲの信号レベルが８０の部分は
（８０＋１）・（２．０００）−１＝１６１
の信号レベルに変換される。
【００２４】
一方、図３に示す例ではＲ，Ｇ，Ｂの通常モード時のＬＥＤ駆動電流値はそれぞれＩＲ０，ＩＧ０，ＩＢ０に設定されている。このときの駆動電流値に対する輝度値をそれぞれＹＲ０，ＹＧ０，ＹＢ０とすると、信号処理部７は、Ｒ，Ｇ，Ｂの信号レベルを変換しているため、Ｒ，Ｇ，Ｂ光源用ＬＥＤ１１，１３，１５の輝度値をそれぞれ
ＹＲ１＝ＹＲ０／Ｃｒ＝ＹＲ０／２．００
ＹＧ１＝ＹＧ０／Ｃｇ＝ＹＧ０／１．４１４
ＹＢ１＝ＹＢ０／Ｃｂ＝ＹＢ０／１．６９５
と変換するようにＲ，Ｇ，Ｂ光源用ＬＥＤ１１，１３，１５のＬＥＤ駆動電流値を制御すればよい。すなわち、Ｒ光源用ＬＥＤ１１の場合はメモリ９に記憶されているＲ光源用ＬＥＤ１１のＬＥＤ駆動電流値−輝度値特性を示す情報（図３（ａ）参照）からＲ光源用ＬＥＤ１１の輝度値がＹＲ１となる駆動電流値ＩＲ１を求める。これと同様に、Ｇ光源用ＬＥＤ１３のＬＥＤ駆動電流値−輝度値特性を示す情報（図３（ｂ）参照）からＧ光源用ＬＥＤ１３の輝度値がＹＧ１となる駆動電流値ＩＧ１を求め、Ｂ光源用ＬＥＤ１５のＬＥＤ駆動電流値−輝度値特性を示す情報（図３（ｃ）参照）からＢ光源用ＬＥＤ１５の輝度値がＹＢ１となる駆動電流値ＩＢ１を求める。
【００２５】
制御部２は、光源回路３内のＲ光源用駆動回路１０の駆動電流値をＩＲ１、Ｇ光源用駆動回路１２の駆動電流値をＩＧ１、Ｂ光源用駆動回路１４の駆動電流値をＩＢ１に制御することで、Ｒ，Ｇ，Ｂ光源用ＬＥＤ１１，１３，１５の輝度をそれぞれＹＲ１，ＹＧ１，ＹＢ１に制御する。
【００２６】
上記処理を行った後、Ｒ，Ｇ，Ｂの最大信号レベルは図４（ｂ）に示すように最大値２５５となる。すなわち、信号処理部７は、入力される映像信号のダイナミックレンジをＲ，Ｇ，Ｂ単位で変換すると同時に、信号処理部７で変換され増幅された輝度分をＲ，Ｇ，Ｂ光源用ＬＥＤ１１，１３，１５の駆動電流値を制御することで輝度低下させる。これにより、省電力モード時にも通常モード時における最大輝度を維持したまま、Ｒ，Ｇ，Ｂ光源用ＬＥＤ１１，１３，１５の駆動電流値を低減することが可能となり、消費電力の低減を実現できる。
【００２７】
本実施の形態に係る映像表示装置１００では、省電力モード時に、信号処理部７は、各色ごとの変換係数に基づいて映像信号の信号レベルを変換し、制御部２は、映像信号の信号レベルの増幅分に対応するＬＥＤ１１，１３，１５の輝度の増幅分を打ち消すように、各ＬＥＤ１１，１３，１５の駆動電流値を制御するため、映像表示装置１００の最大輝度を低下させることなく、Ｒ，Ｇ，Ｂ光源用ＬＥＤ１１，１３，１５の駆動電流値を低減することができる。これにより、映像表示装置１００において消費電力の低減が可能となる。換言すると、映像表示装置１００においてエネルギー消費量を削減することができる。
【００２８】
なお、本実施の形態では、画像入力部８に入力されるＲ，Ｇ，Ｂの各色ごとにｎ画面分の最大信号レベルを検出し、検出された最大信号レベルに基づいて信号処理部７と光源回路３を制御しているが、省電力モード時は表示されている映像にほとんど変化がない場合が多い。したがって、省電力モード時に検出される最初のｎ画面分の最大信号レベルのみを検出し検出された最大信号レベルに基づいて信号処理部７の変換係数と光源回路３の駆動電流値を決定し、省電力モード時では変換係数と駆動電流値は経時的に固定されてもよい。この場合、画像入力部８の最大値検出回路（図示省略）を停止することができ、さらなる省電力化を図ることが可能である。
【００２９】
また、本実施の形態では、画像入力部８に入力されるＲ，Ｇ，Ｂの各色ごとの最大信号レベルを使って信号処理部７においてＲ，Ｇ，Ｂのダイナミックレンジを個別に調整していたが、画像入力部８で検出されるＲ，Ｇ，Ｂの最大値の中で最も大きな値を使って、変換係数を算出してもよい。例えば、図４（ａ）の場合、ダイナミックレンジが最も大きいＧ（１８０）を選択し、変換係数Ｃｒ，Ｃｇ，Ｃｂは
Ｃｒ＝Ｃｇ＝Ｃｂ＝（２５５＋１）／（１８０＋１）＝１．４１４
ＹＲ１＝ＹＲ０／Ｃｇ＝ＹＲ０／１．４１４
ＹＧ１＝ＹＧ０／Ｃｇ＝ＹＧ０／１．４１４
ＹＢ１＝ＹＢ０／Ｃｇ＝ＹＢ０／１．４１４
と変換するようにＲ，Ｇ，Ｂ光源用ＬＥＤ１１，１３，１５の駆動電流値を制御すればよい。この場合、Ｒ，Ｇ，Ｂの各色ごとの変換係数に代えて、各色に共通の変換係数を用いるため、省電力モード時のＲ，Ｇ，Ｂの色分解能を等しくすることができる。
【００３０】
＜実施の形態２＞
次に、実施の形態２に係るマルチ画面表示装置１２０について説明する。図５は、マルチ画面表示装置１２０の概略構成図である。なお、実施の形態２において、実施の形態１で説明したものと同様構成要素については同一符号を付して説明は省略する。マルチ画面表示装置１２０は、複数の映像表示装置１００を組み合わせてより大きな表示画面（大画面）を構成したものである。マルチ画面表示装置１２０は、例えば映像表示装置１００を３段×３列配列して構成されている。
【００３１】
映像表示装置１００は、マスター映像表示装置１０１と、それ以外のスレーブ映像表示装置１０２〜１０９とを含む。マスター映像表示装置１０１とスレーブ映像表示装置１０２〜１０９は概して同じ構成を有する。以下の説明では、マスター映像表示装置１０１、スレーブ映像表示装置１０２〜１０９を「マスター装置１０１」、「スレーブ装置１０２〜１０９」と称する。マスター装置１０１とスレーブ装置１０２〜１０９は図５の矢印で示すように互いに通信ケーブルにて双方向に接続されている。
【００３２】
マスター装置１０１とスレーブ装置１０２〜１０９は、それぞれが独自に映像表示装置１００としての機能を発揮することにより、マルチ画面表示装置１２０全体の消費電力を最小化することが可能となる。
【００３３】
マスター装置１０１と各スレーブ装置１０２〜１０９は、実施の形態１と同様の手順で、画像入力部８に入力される映像信号について１画面ごとにＲ，Ｇ，Ｂそれぞれの最大信号レベルが検出され、Ｒ，Ｇ，Ｂそれぞれの信号レベルをダイナミックレンジ一杯まで使用できる信号レベルへ変換するための変換係数が算出される。
【００３４】
各スレーブ装置１０２〜１０９は、マスター装置１０１に対して変換係数を送信する。マスター装置１０１はマルチ画面表示装置１２０を構成するすべての映像表示装置１００のＲ，Ｇ，Ｂそれぞれの変換係数を取得し、Ｒ，Ｇ，Ｂの各色ごとに最小の変換係数を抽出する。またマスター装置１０１は、抽出されたＲ，Ｇ，Ｂそれぞれの映像信号に対する最小の変換係数を各スレーブ装置１０２〜１０９へ送信する。
【００３５】
各映像表示装置１００は、実施の形態１と同様に、受信したＲ，Ｇ，Ｂそれぞれの映像信号に対する最小の変換係数を使用して、信号レベル変換とＬＥＤ駆動電流値の制御を、Ｒ，Ｇ，Ｂの各色ごと、各画面ごとに実施する。
【００３６】
上記手順により、マルチ画面表示装置１２０を構成するすべての映像表示装置１００において、Ｒ，Ｇ，Ｂの各色ごとに映像信号レベルのダイナミックレンジ制御とＬＥＤ駆動電流値制御を行い、個々の映像表示装置１００のＬＥＤ駆動電流値を低減するとともに、マルチ画面全体の輝度を均一に保つことで、画質を劣化させるとこなく、マルチ画面表示装置１２０において消費電力の低減が可能となる。換言すると、マルチ画面表示装置１２０においてエネルギー消費量を削減することができる。
【００３７】
また、本実施の形態ではＲ，Ｇ，Ｂの各色ごとにダイナミックレンジ制御とＬＥＤ駆動電流値制御を行っているが、マルチ画面表示装置１２０を構成するすべての映像表示装置１００の変換係数のうちの最小の変換係数を使って各映像表示装置１００のＲ，Ｇ，Ｂのダイナミックレンジ制御とＬＥＤ駆動電流値制御を行ってもよい。この場合、各映像表示装置１００のＲ，Ｇ，Ｂの各色に共通の変換係数を用いるため、省電力モード時におけるマルチ画面表示装置１２０全体のＲ，Ｇ，Ｂの色解像度を等しくすることができ、中間色のつながりも劣化することがない。
【００３８】
さらに、マルチ画面表示装置１２０においてマスター装置１０１は、キーボード操作および複数の映像表示装置における画像の動きのうちのいずれかに基づいて、省電力モードに移行させてもよい。マルチ画面表示装置１２０を制御するＰＣ１１０（以下「制御ＰＣ１１０」と称す）は、接続ケーブル１１１（例えばＬＡＮケーブル、ＲＳ２３２Ｃケーブル等）によりマスター装置１０１と接続される。制御ＰＣ１１０からの指令は、マスター装置１０１を経由して各スレーブ装置１０２〜１０９、すなわち、マルチ画面表示装置１２０を構成するすべての映像表示装置１００へ伝達される。制御ＰＣ１１０は、省電力モードへの移行について、マスター装置１０１を経由して各スレーブ装置１０２〜１０９へ指令する。
【００３９】
上記の指令は、例えば予め設定されたスケジュール機能により、時間ごとや曜日ごとに制御を行ってもよい。または一定時間システム全体へのアクセス（ＰＣのマウス操作やキーボード操作等）の有無により自動制御されてもよい。または監視カメラの動き検出機能を使用してもよいし、マルチ画面表示装置１２０近傍に設置された赤外線カメラによる人物検出を使用してもよい。
【００４０】
このように、場面ごと、時間ごと、といった様々なシチュエーションにおいて要求される画質レベルに合わせて細やかなＬＥＤ駆動電流値制御を行うことにより、システム全体において常に最適な消費電力にて動作させることが可能となり、積算消費電力量の最小化を実現できる。
【００４１】
なお、本発明は、その発明の範囲内において、各実施の形態を自由に組み合わせたり、各実施の形態を適宜、変形、省略することが可能である。
【符号の説明】
【００４２】
２  制御部、６  スクリーン、７  信号処理部、８  画像入力部、１０  Ｒ光源用駆動回路、１１  Ｒ光源用ＬＥＤ、１２  Ｇ光源用駆動回路、１３  Ｇ光源用ＬＥＤ、１４  Ｂ光源用駆動回路、１５  Ｂ光源用ＬＥＤ、１００  映像表示装置、１０１  マスター装置、１０２〜１０９  スレーブ装置、１２０  マルチ画面表示装置。
【図１】
2013213897.tif 000003
【図２】
2013213897.tif 000004
【図３】
2013213897.tif 000005
【図４】
2013213897.tif 000006
【図５】
2013213897.tif 000007